(57)【要約】【課題】耳の裏側から取付けられる第２の飾体を有するものでありながら部品点数が少なく、装着・脱着が簡単であり、第２の飾体を耳の下部だけでなく耳の横位置にも飾ることができ、見た人に意外性を感じさせることができ、手持ちの別のピアス本体も使用可能なピアスを提供する。【解決手段】取付ピン２の一端に第１の飾体３を設けたピアス本体１と、該取付ピン２を係止するキャッチ４とからなるピアスにおいて、上記キャッチ４が取付ピン２が挿入・係止されるキャッチ本体５と、該キャッチ本体５に一体的に突出して設けられると共にその先端に第２の飾体７を設けた支持体６とを有し、該キャッチ本体５が、取付ピン２の直径よりも小径で取付ピン２が挿入される挿通孔１０ａを有するシリコンゴム体１０をその内部に有している。【選択図】        図１
2004329443.tif 000002
【特許請求の範囲】
【請求項１】
取付ピンの一端に第１の飾体を設けたピアス本体と、該取付ピンに嵌着するキャッチとからなるピアスにおいて、
上記キャッチが、上記取付ピンが挿入・嵌着されるキャッチ本体と、該キャッチ本体に一体的に突出して設けられると共にその先端に第２の飾体を固定した支持体とを有し、
上記キャッチ本体が、上記取付ピンの直径よりも小径で上記取付ピンが挿入される挿通孔を有するシリコンゴム体をその内部に有し、該シリコンゴム体と上記取付ピンとの摩擦力によって上記取付ピンをその挿入位置で上記キャッチ本体に嵌着可能にした、ことを特徴とするピアス。
【請求項２】
上記ピアスを耳に装着した時に、上記第２の飾体だけが耳の周囲から見えるように、上記支持体の長さを丁度耳の後ろに隠れるような長さにした、ことを特徴とする請求項１に記載のピアス。
【請求項３】
上記キャッチ本体が、上記シリコンゴム体を収納する空間及び該空間を囲む蓋部、周壁部、底壁部を備えた筒状体を有し、
該蓋部が上記取付ピンが挿入される挿通孔及び上記取付ピンを該挿通孔に案内するテーパ状の案内部を有し、
該筒状体の周壁部に上記支持体が一体的に設けられている、ことを特徴とする請求項１または２に記載のピアス。
【発明の詳細な説明】
【０００１】
【発明の属する技術分野】
本発明は、ピアスの改良に関するものである。
【０００２】
【従来の技術】
ピアスは、よく知られているように、貴金属や宝石などによって構成された装飾体を取付ピンの一端に取付けると共に、該取付ピンの他端を通常耳たぶに設けた孔に挿通し、耳の後側（裏側）でキャッチで止めるようになっている。
また、図３に示すように、耳の表側に取付けられる第１の装飾体１１０のほかに、耳の裏側に第２の装飾体１２０が取付けられ、該装飾体１２０は第１の装飾体１１０が一端に取付けられた取付ピン１１２の他端側に取付けられたＬ字状の支持ピン１２２の一端に取付けられ、該支持ピン１２２の他端には上記取付ピン１１２を挿通するための複数の位置決め穴１２４，１２６，１２８が設けられ、上記取付ピン１１２の他端近傍に設けた溝１１４にキャッチ１１６を係止させたピアスは従来公知（例えば、特許文献１参照）である。
【０００３】
しかし、上記従来公知のピアスは、第１の装飾体１１０が一端に取付けられた取付ピン１１２と、第２の装飾体１２０が取付けられたＬ字状の支持ピン１２２と、上記取付ピン１１２の他端を係止するキャッチ１１６の３つの部品で構成されるため、部品点数が多く、装着・脱着が不便であった。
また、上記取付ピン１１２の他端近傍に設けた溝１１４にキャッチ１１６を係止させているため、上記取付ピン１１２の軸方向におけるキャッチ１１６の係止位置は常に溝１１４の位置であり、キャッチ１１６の係止位置を自由に変えることはできなかった。
また、Ｌ字状の支持ピン１２２は、取付ピン１１２の他端側にぶら下がった状態で取付けられるため、第２の装飾体１２０は耳たぶの下部にしか飾ることができなかった。
【０００４】
【特許文献１】
特開２００１−１４９１１９号公報
【０００５】
【発明が解決しようとする課題】
本発明の課題は、このような問題を解決し、耳の裏側から取付けられる第２の飾体を有するものでありながら部品点数が少なく、装着・脱着が簡単なピアスを提供することにある。
本発明の他の課題は、第２の飾体を耳の下部だけでなく耳の横位置にも飾ることができるピアスを提供することにある。
更に、本発明の他の課題は、見た人に意外性を感じさせることができるピアスを提供することにある。
更に、本発明の他の課題は、手持ちの別のピアス本体も使用可能なピアスを提供することにある。
【０００６】
【課題を解決するための手段】
上記課題を解決するための本発明のピアスは、取付ピンの一端に第１の飾体を設けたピアス本体と、該取付ピンに嵌着するキャッチとからなるピアスにおいて、上記キャッチが、上記取付ピンが挿入・嵌着されるキャッチ本体と、該キャッチ本体に一体的に突出して設けられると共にその先端に第２の飾体を固定した支持体とを有し、上記キャッチ本体が、上記取付ピンの直径よりも小径で上記取付ピンが挿入される挿通孔を有するシリコンゴム体をその内部に有し、該シリコンゴム体と上記取付ピンとの摩擦力によって上記取付ピンをその挿入位置で上記キャッチ本体に嵌着可能にしたことを特徴とするものである。
【０００７】
上記本発明のピアスの好ましい実施の形態においては、上記ピアスを耳に装着した時に、上記第２の飾体だけが耳の周囲から見えるように、上記支持体の長さを丁度耳の後ろに隠れるような長さにすることができ、また、上記キャッチ本体が、上記シリコンゴム体を収納する空間及び該空間を囲む蓋部、周壁部、底壁部を備えた筒状体を有し、該蓋部が上記取付ピンが挿入される挿通孔及び上記取付ピンを該挿通孔に案内するテーパ状の案内部を有し、該筒状体の周壁部に上記支持体が一体的に設けられているものにすることができる。
【０００８】
上記ピアスは、キャッチ本体に一体的に突出して設けられた支持体の先端に第２の飾体を設けているため、耳の表側に取付けられる第１の飾体のほかに、耳の裏側から取付けられる第２の飾体を有するものでありながら、ピアスの部品点数を減少させることができる。
また、部品点数を減少したことと、ピアスを装着・脱着する際に上記支持体を把持部材として利用できることにより、ピアスの装着・脱着が従来のものより簡単になる。
【０００９】
また、上記ピアスは、キャッチ本体が、取付ピンの直径よりも小径で取付ピンが挿入される挿通孔を有するシリコンゴム体をその内部に有しているため、該シリコンゴム体と上記取付ピンとの摩擦力によって上記取付ピンをその挿入位置で上記キャッチ本体に係止させることができる。
したがって、取付ピンの先端に第１の飾体を設けたピアス本体を耳たぶの通し穴に挿通した後、キャッチ本体を上記取付ピンに挿入し、キャッチ本体を回動させて第２の飾体が耳たぶの周囲の好みの位置に来た時点でキャッチ本体を耳たぶ側に押し付けるか、または、キャッチ本体を耳たぶに押し付ける位置まで挿入してから、第２の飾体が耳たぶの周囲の好みの位置に来るようにキャッチ本体を回動させると、キャッチ本体をこの回動位置で耳たぶに取付けることができる。
【００１０】
そして、上記ピアスはキャッチ本体を回動させた位置で耳に取付けることができるため、第２の飾体を耳の下部だけでなく耳の横位置でも飾ることができる。
また、上記ピアスを耳に装着した時に、第２の飾体だけが耳の周囲から見えるように、支持体の長さを丁度耳の後ろに隠れるような長さにすると、見た人に第２の飾体がなににも支持されていないのに耳の周囲にあるという意外性を感じさせることができる。
【００１１】
また、上記シリコンゴム体は弾性を有するため、挿通孔が取付ピンの直径より小径でも取付ピンを挿通孔に挿入でき、また、取付ピンの直径が多少大きかったり小さくても取付ピンをシリコンゴム体の挿通孔に挿入・係止でき、そのために手持ちの別のピアス本体を用いることもできる。
また、上記キャッチ本体が、上記シリコンゴム体を収納する空間及び該空間を囲む蓋部、周壁部、底壁部を備えた筒状体を有し、該蓋部が上記取付ピンが挿入される挿通孔及び上記取付ピンを該挿通孔に案内するテーパ状の案内部を有し、該筒状体の周壁部に上記支持体が一体的に設けられていると、支持体を把持部として利用できると共にピアス本体の取付ピンをキャッチ本体の挿通孔に容易に挿入できる。
【００１２】
【発明の実施の形態】
図１は、本発明に係るピアスの一実施例を示す一部断面側面図である。
該ピアスは、取付ピン２の一端に第１の飾体３を設けたピアス本体１と、該取付ピン２を係止するキャッチ４とから成り、該キャッチ４は上記取付ピン２が挿入・係止されるキャッチ本体５と、該キャッチ本体５に一体的に突出して設けられると共にその先端に第２の飾体７を設けた支持体６とを有している。
【００１３】
上記キャッチ本体５は、取付ピン２の直径よりも小径で取付ピン２が挿入される挿通孔１０ａを有する筒状のシリコンゴム体１０と、該シリコンゴム体１０を収納する空間をその内部に備えた筒状体１１とを有し、該筒状体１１は蓋部１２、周壁部１３及び底壁部１４を備え、これらの部材で囲まれた空間に該シリコンゴム体１０が隙間が生じないようにきつめに収納されている。
上記蓋部１２は上記周壁部１３と別体であるが、螺着、嵌着またはその他の周知の固着手段により両者は一体的に結合されており、上記底壁部１４は上記周壁部１３に一体に形成されている。
【００１４】
また、上記筒蓋部１２は、上記取付ピン２が挿入される挿通孔１２ａ及び上記取付ピン２を該挿通孔１２ａに案内するテーパ状の案内部１２ｂを有しており、また、上記底壁部１４は、上記蓋部１２の挿通孔１２ａと同心の上記取付ピン２が挿入される挿通孔１４ａを有している。
また、上記支持体６は、上記筒状体１１の周壁部１３から半径方向に突出すると共に、その先端側が上記筒状体１１と平行で上記第１の飾体３と同じ側になるような略Ｌ字状をしている。
そのため、上記支持体１１を把持しやすいと共に、上記ピアス本体１の取付ピン２をキャッチ本体４の蓋部１２の挿通孔１２ａに容易に挿入できる。
また、上記取付ピン２、筒状体１１及び支持体６は金属製であり、上記第１の飾体３及び第２の飾体７としては、宝石あるいはその模造品等が用いられる。
【００１５】
上記シリコンゴム体１０は弾性を有しているため、上記挿通孔１０ａが取付ピン２より小径でも取付ピン２を挿通孔１０ａに挿入したり挿通孔１０ａ内を直動あるいは回動させることができる。
また、キャッチ本体５に取付ピン２が挿入されると、挿通孔１０ａが取付ピン２の直径よりも小径であるため、挿通孔１０ａの内周面が取付ピン２により半径方向に押圧され、また、キャッチ本体５内にきつめに収納されたシリコンゴム体１０の外周面が筒状体１１の周壁部１３に押圧されるから、キャッチ本体５とシリコンゴム体１０及びシリコンゴム体１０と取付ピン２との間には大きな摩擦力が生じ、該摩擦力によりキャッチ本体５と取付ピン２は互いに係止される。
【００１６】
上記ピアスは、上記シリコンゴム体１０による摩擦力によって上記取付ピン２をその挿入位置で上記キャッチ本体５に係止させることができるため、ピアス本体１の取付ピン２を耳たぶの通し穴に挿通した後、該取付ピン２にキャッチ本体５を挿入し、該キャッチ本体５を回動させて第２の飾体７が耳たぶの周囲の好みの位置に来た時点でキャッチ本体４を耳たぶ側に押し付けるか、または、キャッチ本体５を耳たぶに押し付ける位置まで挿入してから、第２の飾体７が耳たぶの周囲の好みの位置に来るようにキャッチ本体４を回動させると、キャッチ本体５をこの回動位置で耳たぶに取付けることができる。
この場合、略Ｌ字状の上記支持体６が筒状体１１の周壁部１３から半径方向に突出しているため、支持体６を把持部として利用でき、キャッチ本体５を回動させるのに好都合である。
【００１７】
図２は、本発明に係るピアスを耳に装着した状態を示す図であり、第２の飾体７が耳たぶの横位置に来るようにキャッチ本体５を回動させた状態で耳たぶに取付けているが、キャッチ本体５を耳たぶ側に押し付けた状態でキャッチ本体５と取付ピン２がシリコンゴム体１０による摩擦力によって互いに係止しているため、キャッチ本体５に突出して設けられた支持体６に重力による曲げモーメントが掛かるにもかかわらず支持体６は回動位置を保持している。
【００１８】
また、上記ピアスを耳に装着した時に、第２の飾体７だけが耳の周囲から見えるように、支持体６の長さを丁度耳の後ろに隠れるような長さにすることができ、第２の飾体７だけが耳の周囲から見えるようにした場合には、これを見た人に第２の飾体がなににも支持されていないのに耳の周囲に浮かんでいるという意外性をもたせることができる。
また、上記ピアスは、ピアス本体１とキャッチ４の２つの部品だけで構成されているため、耳の裏側から取付けられる第２の飾体を有するものでありながら部品点数が少なく、そのため、装着・脱着が簡単である。
【００１９】
また、キャッチ本体４を構成する筒状体１１の周壁部１３に略Ｌ字状の支持体６が一体的に設けられているため、該支持体６を把持部として利用することができ、そのため、ピアスを装着・脱着する際や第２の飾体７の位置を変更するためにキャッチ本体５を回動させる際に好都合であり、また、筒状体１１の蓋部１２が、取付ピン２が挿入される挿通孔１２ａ及び取付ピン２を該挿通孔１２ａに案内するテーパ状の案内部１２ｂを有しているため、ピアス本体１の取付ピン２をキャッチ本体４の蓋部の挿通孔１２ａに容易に挿入できる。
【００２０】
以上、本発明の実施の形態のピアスについて詳述したが、本発明は、上記実施の形態に限定されるものではなく、本発明の特許請求の範囲に記載されている発明の精神を逸脱しない範囲で、設計において種々の変更ができるものである。
【００２１】
【発明の効果】
以上に詳述した本発明によれば、耳の裏側から取付けられる第２の飾体を有するものでありながら部品点数が少なく、装着・脱着が簡単であり、第２の飾体を耳の下部だけでなく耳の横位置にも飾ることができ、見た人に意外性を感じさせることができ、手持ちの別のピアス本体も使用可能なピアスを提供することができる。
【図面の簡単な説明】
【図１】本発明に係るピアスの一実施例を示す一部断面側面図である。
【図２】本発明に係るピアスを耳に装着した状態を示す図である。
【図３】従来のピアスを示す図である。
【符号の説明】
１      ピアス本体
２      取付ピン
３      第１の飾体
４      キャッチ
５      キャッチ本体
６      支持体
７      第２の飾体
１０    シリコンゴム体
１０ａ  挿通孔
１１    筒状体
１２    蓋部
１３    周壁部
１４    底壁部
【図１】
2004329443.tif 000003
【図２】
2004329443.tif 000004
【図３】
2004329443.tif 000005